(57)【要約】【課題】  入浴者の安全を図るものであり、担架を浴槽に移乗する際に担架が、台車から又は浴槽から落下しないようにした担架脱落防止機構付入浴装置を提供することである。【解決手段】  台車（１）と、浴槽（２）と、台車（１）と浴槽（２）の間を移動する担架（３）とからなる入浴装置（４）において、浴槽（２）の縁（２１ａ）の上部に設けられ、起立姿勢と倒伏姿勢との両姿勢に変更できるストッパー（６）と、検出具（７）とからなる担架脱落防止機構（２３）を有し、前記ストッパー（６）は、常時は起立姿勢であって担架（３）の脱落を防止するものであり、起立姿勢から浴槽（２）外方向へは回動できない構成であることを特徴とする担架脱落防止機構付入浴装置である。【選択図】      図１
2006246972.tif 000002
【特許請求の範囲】
【請求項１】
台車（１）と、浴槽（２）と、台車（１）及び浴槽（２）に載せられ台車（１）と浴槽（２）の間を移乗する担架（３）とからなる入浴装置（４）において、
浴槽（２）の縁（２１ａ）の上部に設けられ、回動により起立姿勢と倒伏姿勢との両姿勢に変更でき常時は起立姿勢であって担架（３）の脱落を防止するストッパー（６）と、浴槽（２）に設けられ、浴槽（２）に台車（１）が接合したことを検出する検出具（７）とからなる担架脱落防止機構（２３）を有し、
前記ストッパー（６）は、浴槽（２）に台車（１）が接合している時だけ検出具（７）により倒伏姿勢に変えられ、起立姿勢から浴槽（２）内方向へは回動でき、起立姿勢から浴槽（２）外方向へは回動できない構成であることを特徴とする担架脱落防止機構付入浴装置。
【請求項２】
倒伏姿勢に変更されたストッパー（６）は、台車（１）と浴槽（２）の間を移乗中の担架（３）を支持することを特徴とする請求項１記載の担架脱落防止機構付入浴装置。
【請求項３】
検出具（７）は、浴槽（２）に台車（１）を接合させると変位する入力具（２８）と、入力具（２８）の変位量をストッパー（６）に伝導する伝導具（２９）とからなり、
前記伝導具（２９）は、可撓管（３０）内にワイヤー（３１）が挿通されてなる可撓管付ワイヤー（３２）で構成され、前記伝導具（２９）はストッパー（６）の位置が変動しても該ストッパー（６）に入力具（２８）の変位量を伝導できることを特徴とする請求項１記載の担架脱落防止機構付入浴装置。
【発明の詳細な説明】
【技術分野】
【０００１】
本発明は、介護を必要とする人が入浴する時に使用される担架脱落防止機構付入浴装置に関する。
【背景技術】
【０００２】
従来の技術には、一方担架載せ台、他方担架載せ台、担架、一方レール、他方レール、他方基体、一方基体、駆動機構、担架のオーバーランを止めるストッパー等からなる担架脱落防止装置が開示されている。
【０００３】
従来の技術に係る担架転落防止装置は、担架が浴槽から転落することを阻止できる。万一、担架転落防止装置のピンが退入するはずが退入せず進出したままにあるという故障が起きた時に、或いは、搬送車の接合が不完全であって退入していると思っているピンが進出したままの時に、介助者が誤って担架を搬送車から浴槽へ移乗させると、担架がピンにぶつかって浴槽への移乗が阻止され、担架は、レールから脱落し、浴槽又は台車から転落する恐れがある。
【特許文献１】実登２５９５３８９号公報
【発明の開示】
【発明が解決しようとする課題】
【０００４】
解決しようとする問題点は、前記ピンが退入していない時に、誤って、担架を浴槽へ動かした場合、浴槽又は台車から担架を落下させるという危険性があった点である。
【課題を解決するための手段】
【０００５】
本発明の目的は、入浴者の安全を図ったものであり、担架を浴槽に移乗する際に、台車又は浴槽から担架が落下しないようにした担架脱落防止機構付入浴装置を提供することである。
【０００６】
即ち本発明は、台車（１）と、浴槽（２）と、台車（１）及び浴槽（２）に載せられ台車（１）と浴槽（２）の間を移乗する担架（３）とからなる入浴装置（４）において、浴槽（２）の縁（２１ａ）の上部に設けられ、回動により起立姿勢と倒伏姿勢との両姿勢に変更でき常時は起立姿勢であって担架（３）の脱落を防止するストッパー（６）と、浴槽（２）に設けられ、浴槽（２）に台車（１）が接合したことを検出する検出具（７）とからなる担架脱落防止機構（２３）を有し、前記ストッパー（６）は、浴槽（２）に台車（１）が接合している時だけ検出具（７）により倒伏姿勢に変えられ、起立姿勢から浴槽（２）内方向へは回動でき、起立姿勢から浴槽（２）外方向へは回動できない構成であることを特徴とする担架脱落防止機構付入浴装置である。
又、倒伏姿勢に変更されたストッパー（６）は、台車（１）と浴槽（２）の間を移乗中の担架（３）を支持する。
更に、検出具（７）は、浴槽（２）に台車（１）を接合させると変位する入力具（２８）と、入力具（２８）の変位量をストッパー（６）に伝導する伝導具（２９）とからなり、前記伝導具（２９）は、可撓管（３０）内にワイヤー（３１）が挿通されてなる可撓管付ワイヤー（３２）で構成され、前記伝導具（２９）はストッパー（６）の位置が変動しても該ストッパー（６）に入力具（２８）の変位量を伝導できる。
【発明の効果】
【０００７】
本発明に係る担架脱落防止機構２３のストッパー６は、浴槽２に台車１が接合している時だけ検出具７により倒伏姿勢に変えられ、又、前記ストッパー６は、起立姿勢から浴槽２内方向へは回動でき、起立姿勢から浴槽２外方向へは回動できない構成であるから、台車１が浴槽２に確実にドッキングされているにもかかわらず、万一、ストッパー６に検出具７の変位量が伝導されない故障その他の故障によって、ストッパー６が起立姿勢にあったとしても、担架３を台車１から浴槽２に移乗させた時には、担架３は、ストッパー６に当たりそのストッパー６を押し倒して進み担架３が脱線又は転落することはなく浴槽２上に至り、担架３上の入浴者の安全を図ることができ、又、担架３には、脱線による大きな振動も起こらず担架３その他の装置の破損も免れ、好都合である。
【０００８】
本発明に係る倒伏姿勢に変更されたストッパー６は、台車１と浴槽２の間を移乗中の担架３を支持するから、前記移乗中、担架３の移動進行方向の先部が台車１と浴槽２の間で僅か下がり担架３が傾斜しようとするのを前記ストッパー６が防ぎ、担架３の傾斜及び振動が軽減され、担架３は略平坦姿勢を保持しつつ円滑に安全に台車１と浴槽２の間を移乗でき、患者に不安感や不快感を与えず安心して移乗でき、好都合である。
【０００９】
本発明に係る伝導具２９は、可撓管３０内に移動自在なワイヤー３１が挿通されてなる可撓管付ワイヤー３２で構成され、前記伝導具２９はストッパー６の位置が変動しても該ストッパー６に入力具２８の変位量を伝導できるから、ストッパー６が取り付けられる浴槽２が動いても、又はストッパー６が取り付けられる浴槽２が昇降するものであっても、可撓管付ワイヤー３２はストッパー６に追従して動き、入力具２８の変位量を確実に伝導でき、担架脱落防止機構２３の汎用性が高く、好都合である。
【発明を実施するための最良の形態】
【００１０】
本発明の、担架３を浴槽２に移乗する際に担架３が台車１又は浴槽２から落下しないようにするという目的を、台車１と、浴槽２と、台車１及び浴槽２に載せられ台車１と浴槽２の間を移動する担架３とからなる入浴装置４において、浴槽２の縁２１ａの上部に設けられ、回動により起立姿勢と倒伏姿勢との両姿勢に変更でき常時は起立姿勢であって担架３の脱落を防止するストッパー６と、浴槽２に設けられ、浴槽２に台車１が接合したことを検出する検出具７とからなる担架脱落防止機構２３を有し、前記ストッパー６は、浴槽２に台車１が接合している時だけ検出具７により倒伏姿勢に変えられ、又、前記ストッパー６は、起立姿勢から浴槽２内方向へは回動でき、起立姿勢から浴槽２外方向へは回動できない構成になして、実現した。
【実施例１】
【００１１】
図１乃至５に本発明に係る担架脱落防止機構付入浴装置の実施例１を示している。
実施例１は、台車１と、浴槽２と、台車１及び浴槽２に載せられ台車１と浴槽２の間を移動する担架３とからなる入浴装置４である。実施例１の台車１に担架３を載せ、該担架３に入浴者を乗せる。台車１を床面１６に走行させ入浴者を運ぶ。台車１を浴槽２に接合し、接合が完了した後、担架３を台車１の幅方向に動かし浴槽２の架台レール５へ移乗させる。
【００１２】
次に、架台レール５を固定しておいて、浴槽２を上昇させ、担架３及び入浴者を浴槽２内の湯に浸け入浴を行なう。前記浴槽２の縁２１ａ上には、起立姿勢と倒伏姿勢との両姿勢に変更できるストッパー６が設けられ、浴槽２の側部２ａに台車１が接合したことを検出する検出具７が該浴槽２に設けられる。
【００１３】
台車１は、下フレーム８と、下フレーム８に立設される支柱９と、支柱９に支持される上フレーム１０と、上フレーム１０に載設される水受皿１１と、水受皿１１の上方位置に担架３を摺動可能に支持し上フレーム１０に載設されるレール１２と、上フレーム１０に延設されるハンドル１３と、下フレーム８の下面に設けられる四個の車輪１４とから構成される。
【００１４】
下フレーム８の左右方向（＝幅方向）の端部には、浴槽２と接合する接合当部１５が設けられる。
【００１５】
浴槽２は、床面１６に載置される基枠１７と、基枠１７上に設けられるＸフレーム１８及び伸縮体１９とでなる昇降機構２０と、湯を内部に溜める容器であり昇降機構２０に支持される浴槽部２１と、浴槽部２１の底壁２１ｂを貫通した架台支柱２２と、該架台支柱２２の頂部に取着され担架３を支持する架台レール５と、架台レール５上の担架３の脱落を防止する担架脱落防止機構２３とからなる。
【００１６】
基枠１７の側部には、台車１の接合当部１５を受け止め、浴槽２に台車１が接合したことを検出する検出具７が設けられる。
昇降機構２０は、浴槽部２１を昇降支持するものである。即ち、昇降機構２０を構成する伸縮体１９を伸長させてＸフレーム１８の斜辺を起立方向へ回動させ浴槽部２１を上昇させる。又逆に、伸縮体１９を縮小させてＸフレーム１８の斜辺を倒伏方向へ回動させ浴槽部２１を下降させる。
【００１７】
浴槽部２１の底壁２１ｂには、架台支柱２２を外嵌し架台支柱２２との水密を図るシール具２５が設けられる。
浴槽部２１の縁２１ａ上に設けられるストッパー６は、浴槽２に台車１が接合している時には、担架３が浴槽２から台車１へ移乗するのを許し、浴槽２に台車１が接合していない時には、担架３が浴槽２から台車１へ移乗するのを阻止するものである。
【００１８】
担架脱落防止機構２３は、前記ストッパー６と検出具７とからなり、架台レール５上の担架３が浴槽２外への落下するのを防止するものである。
前記ストッパー６は、浴槽部２１の外側に位置する起立片６ａと、該起立片６ａの下部に連なり浴槽部２１の内側に位置する斜片６ｂと、起立片６ａ及び斜片６ｂを収容支持する支持具６ｃと、起立片６ａの下部を軸支する軸６ｄと、斜片６ｂと支持具６ｃの間に設けられ常時は起立片６ａを起立方向へ付勢するバネ２６とからなる。
【００１９】
起立片６ａと斜片６ｂとは正面視Ｖ字形状に形成される。
倒伏した時の前記起立片６ａは、移乗中の担架３を支持し、継手レール２７（図６参照）と同等の機能を発揮する。
前記ストッパー６は、起立姿勢から浴槽２内方向へのみ回動できその回動で倒伏姿勢に変わる。
【００２０】
検出具７は、浴槽２に台車１を接合させると変位する入力具２８と、入力具２８の変位量をストッパー６に伝導する伝導具２９とからなる。
【００２１】
前記伝導具２９は、可撓管３０と、該可撓管３０内に移動自在に挿通されるワイヤー３１とで構成される可撓管付ワイヤー３２である。
ワイヤー３１の先端は前記斜片６ｂに連結される。
前記伝導具２９は、ストッパー６の位置が変動しても該ストッパー６に追従し、入力具２８の変位量をストッパー６に伝導するものである。
【００２２】
入力具２８は、接合当部１５に押されて退入する進退片２８ａと、進退片２８ａに基端が連結され該進退片２８ａの進退により回動する回動片２８ｃと、回動片２８ｃの中央を基枠１７に軸支する入力具軸２８ｂとからなる。
回動片２８ｃの先端にはワイヤー３１の基端が連結される。
【００２３】
担架３は、担架基枠３３と、乗部３４と、枕３５と、握り部３６と、握り縁３７と、レール１２を転動する複数のローラー３８と、複数のローラー３８を取り付け担架基枠３３と上フレーム１０の間に設けられるローラー枠３９とからなる。
ローラー３８は、担架３が台車１と浴槽２の間を移乗させる時はレール１２、架台レール５及び倒伏状起立片６ａ上を転動する。
【００２４】
図１中、４１は台車１を浴槽２に掛止し又は解除する接合止具、４６は取付具、図２中、４７は逆止部、図４中、２４は進退補助具、４２は浴槽位置決め具、５０は位置決めローラー、図５中、４０はシャワー、４５は接合止具４１を解除するレバー、４８は支持枠、４９は気泡盤である。
【００２５】
本発明を使用する際介助者は、台車１上に載せられた担架３に入浴者を乗せる。台車１を床面１６に走行させ、入浴者を運ぶ。
台車１を浴槽２に接合させる。台車１の接合止具４１が浴槽２の接合受具４３に引っ掛かって接合が完了する。接合完了後、担架３の中央掛止具（図示省略）を手動で解除し、担架３を台車１の幅方向に摺動させる。
【００２６】
上記の接合によって、台車１に設けられた接合当部１５が、浴槽２の入力具２８を押し、入力具２８の回動片２８ｃは浴槽２内に退入し、その退入によってワイヤー３１の基端が引っ張られる。
【００２７】
ワイヤー３１の基端が引っ張られると、ワイヤー３１の先端は斜片６ｂを引っ張り、起立片６ａを浴槽２内方向へ回動させ倒伏させる。起立片６ａが倒伏するとローラー３８の移動経路に、突出物等の障害物は無くなり、担架３は台車１から浴槽２へ容易に移動できる状態となる。
【００２８】
起立片６ａの倒伏状態下で、担架３の前記中央掛止具を解除しておいて、担架３の幅方向の端縁部を押し、担架３を台車１から浴槽２の架台レール５へ移乗させる。担架３が架台レール５の幅方向中央に来ると担架３の前記中央掛止具が自動的に架台レール５の中央受け具（図示省略）に掛止され移乗を完了する。
【００２９】
前述の様に台車１が浴槽２にドッキングしている時には、担架３を台車１から浴槽２へ容易に移乗できる。
次に、湯を満たした浴槽２を昇降機構２０で上昇させ、担架３及び入浴者を湯に浸け、入浴を行なう。
【００３０】
適宜な時間が経過すると、浴槽２を下降させ、担架３及び入浴者を湯から出し、退浴する。
担架３の前記中央掛止具を解除したまま、担架３を、浴槽２の架台レール５から浴槽２に接合された台車１へ移乗する。
担架３が台車１の幅方向中央に来ると担架３の前記中央掛止具が自動的に担架中央受け具（図示省略）に掛止され移乗を完了する。
【００３１】
介助者はレバー４５を握り台車１の接合止具４１を上方向へ動かし掛止解除し、台車１を浴槽２から離間し、患者を所望位置に戻し入浴作業を完了する。
【００３２】
台車１が浴槽２にドッキングしている時には、ストッパー６は検出具７の作用によって倒伏状態にあるので、ストッパー６に阻止されることなく、担架３は浴槽２から浴槽２外へ横移動でき、台車１へ移乗可能となる。即ち、台車１が浴槽２にドッキングして前記起立片６ａが退入し且つ介助者が前記中央阻止具を解除している時には、担架３は浴槽２の幅方向にはみ出して移動でき、台車１へ移ることができる。
【００３３】
台車１が浴槽２にドッキングしていない時には、ストッパー６は起立状態にあるので、担架３はストッパー６に阻止されて浴槽２上から浴槽２外へ横移動できない。
【００３４】
起立姿勢の前記起立片６ａは、担架３をレール１２上に横移動させた時に、ローラー３８に当たり該ローラー３８の移動を阻止する。
起立片６ａはバネ２６に付勢されて常時は起立しており、台車１が浴槽２にドッキングしている時のみ起立片はワイヤー３１に引かれて倒伏するが、台車１が浴槽２にドッキングしていない時には、起立片６ａは起立し担架３の脱落を防いでいる。
ストッパー６の阻止作用は、浴槽２から担架３のはみ出しを阻止し担架３を浴槽２から脱落させない。
【００３５】
前記ストッパー６は、起立姿勢から浴槽２内方向へのみ回動できその回動で倒伏姿勢に変わるものであり、台車１から浴槽２へ移乗する担架３に押された時及び伝導具２９に引かれた時に倒伏する。
倒伏しているはずの起立片６ａが故障により起立したままとなっている時に、又は、台車１の接合操作のミスで起立片６が起立したままとなっている時に、介助者が誤って担架３を台車１から浴槽２側へ移動させたとしても、ローラー３８は起立片６ａをバネ２６に抗して浴槽２内側へ押し倒し、担架３は架台レール５へ移乗でき、担架３の脱落を免れる。
【００３６】
ストッパー６が倒伏姿勢に変更されている時は、起立片６ａが横向きになると共に該起立片６ａの側面６ｅが上向きになり、該側面６ｅが台車１と浴槽２の間を通過するローラー３８を支持する。起立片６ａは継手レール２７と同様のローラー３８を支持する機能を併せ持つ。
【００３７】
前記伝導具２９を構成する可撓管付ワイヤー３２をもってストッパー６と入力具２８を繋いでいるので、浴槽部２１の縁２１ａの上部に設けられたストッパー６の位置が、浴槽部２１の昇降と共に上下方向に変動しても、可撓管付ワイヤー３２はストッパー６に追従し、可撓管付ワイヤー３２は入力具２８の変位量をストッパー６に伝導する。
【実施例２】
【００３８】
図６に示す実施例２は、実施例１におけるＶ字形状のストッパー６をI字形状のI字形状ストッパー４４に代えたものである。
実施例２に係るI字形状ストッパー４４にワイヤー３１の先端が連結され、台車１が浴槽２に接合していない時は、I字形状ストッパー４４は起立姿勢となって担架３の横移動を阻止し、浴槽２上の担架３は浴槽２外へ脱落しない。
【００３９】
台車１が浴槽２に接合した時は、入力具２８は接合当部１５に押されて退入しワイヤー３１を引っ張る。
該ワイヤー３１はI字形状ストッパー４４を引っ張り、I字形状ストッパー４４の頂部を浴槽２内へ回動させる。
当該回動によりI字形状ストッパー４４は倒伏姿勢に変わり担架３の横移動を可能にする。
【産業上の利用可能性】
【００４０】
担架脱落防止機構２３のストッパー６は、常時は起立姿勢であり、浴槽２に台車１が接合している時だけ検出具７により倒伏姿勢に変わり、又、前記ストッパー６は、起立姿勢から浴槽２内方向へは回動でき、起立姿勢から浴槽２外方向へは回動できない構成とされ、担架３を浴槽２に移乗する際に担架３が、台車１から又は浴槽２から落下しないものに適用できる。
【図面の簡単な説明】
【００４１】
【図１】本発明の実施例１の部分正面断面図である。
【図２】本発明の実施例１に係るストッパーを示す正面図である。
【図３】本発明の実施例１に係るストッパーを示す平面図である。
【図４】本発明の実施例１に係る入力具を示す平面図である。
【図５】本発明の実施例１の平面図である。
【図６】本発明の実施例２に係るストッパーを示す正面図である。
【符号の説明】
【００４２】
１    台車
２    浴槽
３    担架
４    入浴装置
６    ストッパー
７    検出具
２１ａ  縁
２３    担架脱落防止機構
２８    入力具
２９    伝導具
３０    可撓管
３１    ワイヤー
３２    可撓管付ワイヤー
【図１】
2006246972.tif 000003
【図２】
2006246972.tif 000004
【図３】
2006246972.tif 000005
【図４】
2006246972.tif 000006
【図５】
2006246972.tif 000007
【図６】
2006246972.tif 000008